(57)【特許請求の範囲】
【請求項１】
ケーブルピットの開口部を閉止するピット蓋であって、該ピット蓋は、アルミニウム製の中空体からなる蓋本体と、該蓋本体の裏面に取り付けられ、ケーブルピットの両側壁内面に夫々弾性的に当接する少なくとも一対の固定部材とからなり、該固定部材は、弾性を有する板状体で形成され、蓋本体の裏面に取り付ける取付部と、該取付部の一端から垂下する中間部と、該中間部の下端からピット側壁に向って山形状に屈曲し、頂部をケーブルピットの両側壁内面に当接する係止部とから構成されていることを特徴とするピット蓋。
【請求項２】
前記取付部は、長孔を有し、該長孔を介してネジまたはボルトにより蓋本体に取り付けられていることを特徴とする請求項１記載のピット蓋。
【請求項３】
前記固定部材は、帯状の弾性体を屈曲加工して、取付部、中間部及び当接部を一体化させていることを特徴とする請求項１または２に記載のピット蓋。
【請求項４】
前記固定部材は、ステンレス鋼で形成されていることを特徴とする請求項１乃至３のいずれかに記載のピット蓋。
【発明の詳細な説明】
【技術分野】
【０００１】
本発明は、電力や通信用のケーブルを敷設するケーブルピットにおいて、その開口部を塞ぐピット蓋に関し、特に、軽量で風圧等によってピット蓋の浮き上がりや飛散のないピット蓋に関する。
【背景技術】
【０００２】
電力や通信用のケーブル等を収容するピットは、ケーブルの敷設作業を容易にするように、上面を開口した断面Ｕ字形に形成されている。そのため、ピット内に外部からの異物の侵入を防止するように、ケーブルピットの上面開口を塞ぐピット蓋を配置しているが、通常このようなピット蓋は、コンクリートや鋼板で成形し、その重量により浮き上がりや外れを防止するようにされているため、敷設工事や保守、改修等の際に作業者の負担が大きく、また、その重量から長尺のものが使用できず、作業効率も悪いというが問題がある。
【０００３】
そこで、上記のような作業上の問題点を解決するため、ピット蓋を合成樹脂で成形することも行なわれているが、その軽量さから、風圧等により、浮き上がりが発生し易いため、このような浮き上がり等を防止するように、隣合うピット蓋の接合端面部の近傍に表裏を貫通する連結孔を穿設し、接合端面部を挟んで隣合った一対の連結孔に連結金具の脚部を挿通して隣合うピット蓋同士を連結し、さらに、前記連結孔をピットの側壁に向かって斜め下向きとして、前記連結金具の脚部先端をピット側壁に当接させることが提案されている（特許文献１）。
【０００４】
また、トラフ（ピット）と蓋とを合成樹脂で形成するとともに、トラフの両側壁の外側にスロットを有する突出部を設け、蓋にもこのスロットと対応する位置にスロットを設け、帯状の固定金具で蓋上面を覆うと共に、脚部を蓋およびトラフに設けたスロットに挿入し、脚部先端をトラフのスロット下端の縁に引っ掛けて固定することも提案されている（特許文献２）。
【０００５】
しかしながら、合成樹脂製のピット蓋では剛性に劣るため、広幅のピットに用いることは難しく、また、屋外では日光等により劣化し易いことから耐久性にも問題がある。しかも、前者の固定手段では、連結金具により蓋を連結して長尺化すると共に、棒状の連結金具の先端をピット側壁に当接させて浮き上がりを防止しているが、ピット側壁への当接は点接触となって係止力が弱く、そのため、ピット上面に段差を設け、この段差に載置しているように、平らの上面のピットに載置する場合には、その効果を発揮できず、また、後者の固定手段では、トラフと蓋とを特定の構造するもので、蓋自体を既存のトラフには適用できないという問題がある。
【先行技術文献】
【特許文献】
【０００６】
【特許文献１】登録実用新案第３０４５８１６号公報
【特許文献２】特開２００８−１７５７３号公報
【発明の概要】
【発明が解決しようとする課題】
【０００７】
本発明は、上記従来技術の問題点に鑑みなされたもので、剛性が高く、軽量にもかかわらず、確実にピットに固定でき、ケーブルピットへの装脱が容易で、汎用性を有するピット蓋を提供することを目的とするものである。
【課題を解決するための手段】
【０００８】
本発明は、ピット蓋の蓋本体をアルミニウムで形成するとともに、中空構造として、軽量化と高い剛性を両立させ、さらに、蓋本体の裏面にピット内側壁に強い押圧力で弾性的に当接させる固定部材を設け、軽量化に伴う風圧等による浮き上がりや飛散を防止することにより、上記課題を解決したものである。
【０００９】
すなわち、上記課題は、本発明の（１）「ケーブルピットの開口部を閉止するピット蓋であって、該ピット蓋は、アルミニウム製の中空体からなる蓋本体と、該蓋本体の裏面に取り付けられ、ケーブルピットの両側壁内面に夫々弾性的に当接する少なくとも一対の固定部材とからなり、該固定部材は、弾性を有する板状体で形成され、蓋本体の裏面に取り付ける取付部と、該取付部の一端から垂下する中間部と、該中間部の下端からピット側壁に向って山形状に屈曲し、頂部をケーブルピットの両側壁内面に当接する係止部とから構成されていることを特徴とするピット蓋」、（２）「前記取付部は、長孔を有し、該長孔を介してネジまたはボルトにより蓋本体に取り付けられていることを特徴とする前記第（１）項に記載のピット蓋」、（３）「前記固定部材は、帯状の弾性体を屈曲加工して、取付部、中間部及び当接部を一体化させていることを特徴とする前記第（１）項または第（２）項に記載のピット蓋」、（４）「前記固定部材は、ステンレス鋼で形成されていることを特徴とする前記第（１）項乃至第（３）項のいずれかに記載のピット蓋」により達成される。
【発明の効果】
【００１０】
本発明のピット蓋は、蓋本体がアルミニウムからなる中空体で形成しているので、軽量であるため、敷設工事や保守、改修等の際に作業者の負担が少なく、その高い剛性により、広幅のケーブルピットに用いることができるため、合成樹脂性の蓋のように、ピット幅に制限がなく、また、ピットに載置するだけで固定できるため、既存のピットにも容易に適用でき、汎用性を増し、さらに、ピット蓋を長尺とすることもできるため作業効率を向上させることができる。
【００１１】
また、固定部材が、蓋本体の裏面に取り付ける取付部と、取付部の一端から垂下する中間部と、中間部の下端からピット側壁に向って山形状に屈曲し、頂部をケーブルピットの両側壁内面に当接させる当接部とから構成されているので、ケーブルピットに装着する際に、山形状の係止部の下部がケーブルピットの上面内端に当接し、位置決めが自動的に行え、さらに、弾性による押圧力が山形状の当接部である頂部に集中するとともに、これらは板状としているので、当接部が長くなり、押圧が安定し、確実にケーブルピットに固定することができ、しかも、取付部と当接部との間に中間部を介在させているので、中間部の長さを調節することにより、押圧力を変更できるため、ピット蓋の着脱操作の頻度等に応じて固定力を調整でき、さらに、ケーブルピット側壁に対する係止部の当接位置を変更できるので、側壁の上部に急な傾斜面を有するようなケーブルピットにおいても、ピット蓋を確実に固定することができる。
【００１２】
特に、固定部材をネジやボルトで蓋本体に取り付ける際、固定部材の取付部に設けるネジやボルトの挿入孔を長孔とすることにより、固定部材の位置調整が可能となるため、予め、固定部材を精緻に取り付ける必要がなく、現場でピット幅に応じて適宜調整でき、作業が容易となる。また、固定部材をステンレス鋼で形成すると、耐食性に優れるため、アルミニウム製の蓋本体と相俟って、耐久性を著しく向上させることができる。
【図面の簡単な説明】
【００１３】
【図１】本発明に係るピット蓋を装着したケーブルピットの断面図。
【図２】図１の一部拡大断面図。
【図３】本発明に係るピット蓋本体の斜視図。
【図４】本発明に係る固定部材の斜視図。
【図５】他の実施例における図１の一部拡大断面図。
【発明を実施するための形態】
【００１４】
以下、図面の実施例に基づいて、本発明を詳細に説明する。図１に示すように、ケーブルピットＡは、左右の側壁Ａ１と底壁Ａ２とを有し、上面が開口する断面略Ｕ字形であり、ケーブル敷設後、上面開口をピット蓋１により塞いでいる。
【００１５】
ピット蓋１は、図２に示すように、蓋本体２とその裏面に取り付けられた固定部材７とからなり、蓋本体２は、図３に示すように、空間部３に複数の補強リブ４を設けた直方体状の中空体であって、アルミニウム合金を押し出し加工することにより成形されており、表面には滑り止めのための突条５が複数設けられ、押さえ板６により両端開口に固定して塞いでいる。なお、本実施例では、押さえ板６にアングル（図示せず）を螺着し、アングルを空間部３に差し込んで固定しているが、ネジ等により固定してもよい。また、ピット蓋１は、蓋本体２の両端開口側がピットの両側壁Ａ１、Ａ１に載置して、補強リブ４が両側壁Ａ１、Ａ１間を架橋するようにして、剛性を高めている。
【００１６】
固定部材７は、図４に示すように、蓋本体２裏面に取り付けるための取付部８と、この取付部８の一端から垂下した中間部９と、中間部９の下端からピット側壁Ａ１に向って山形状に屈曲させた係止部１０とからなり、下端部を係止部１０の内方に屈曲させて屈折部１１としている。これらは、弾性を有する平板であって、帯状のステンレス鋼を曲げ加工して一体的に形成されている。
【００１７】
そして、固定部材７は、図１に示すように、蓋本体２の裏面の左右、すなわち、ピット蓋の装着時に夫々のピット側壁に対向するように一対とし、この一対の固定部材７、７を前後方向のも配置するとともに、一対の固定部材７，７の中間部９，９の間隔をピット幅よりも小さくし、係止部１０、１０の頂部１０ａ、１０ａの間隔をピット幅よりも大きくなるようにして、ケーブルピットＡに装着した際、係止部１０の頂部１０ａが夫々のピット側壁Ａ１、Ａ１の内壁に当接し、押圧するようにしている。
【００１８】
また、固定部材７は、取付部８に一対の長孔１２が設けられ、この長孔１２を介してタッピングネジ（図示せず）により蓋本体２に取り付けられている。このように、長孔１２を介してネジ止めされているので、固定部材７の位置の調整が可能となる。なお、蓋本体２の裏面に雌ネジ孔を設け、通常のネジにより螺着してもよい。
【００１９】
本発明のピット蓋１は、上記構成であるので、ケーブルピットＡにピット蓋１を被せる際に、ケーブルピットＡ内に固定部材７を挿入すると、固定部材７の係止部１０下部の傾斜面がケーブルピットＡの上面内端部に当接して、ピット蓋１の位置決めが行なわれる。次いで、ピット蓋１の上部から押圧すると、固定部材７の中間部９及び係止部１０が内方に向って弾性的に変位して、係止部１０の頂部１０ａがケーブルピットの側壁Ａ１の内面を摺接しながら降下し、蓋本体１の裏面がケーブルピットＡの上端に当接して、ケーブルピットの開口が塞がれる。このとき、係止部１０の頂部１０ａは、弾性体の復元力によりケーブルピット側壁Ａ１を押圧しケーブルピットＡに確実に固定される。
【００２０】
上記実施例では、固定部材７をピット蓋２へネジにより螺着しているが、図５に示すように、ボルト１３により蓋本体１へ取り付けてもよい。この場合、固定部材７の取付部８にボルト挿入孔を設けるとともに、蓋本体２にも上下貫通するボルト挿入孔を設け、蓋本体２表面あるいは固定部材７の取付部８からボルト１３を挿入し、ボルト端部にナット１４を螺合することにより、固定部材７をピット蓋８に取り付けることができる。その際、蓋本体２及び／または固定部材７の取付部８ボルト挿入孔を長孔とすると、ピット蓋の取り外しの際、ボルト１３またはナット１４を緩めることにより、ケーブルピットの側壁Ａ１へ弾性的に押圧している固定部材７は、その弾性により取付部８及び／または蓋本体２の長孔を介して、内方に移動するので、強固に固定されていても、その取り外しが容易となる。
【００２１】
なお、上記実施例では、固定部材の蓋本体への取り付けを、ネジまたはボルトで行なっているが、接着剤による接着やろう接のような固着手段で行なうこともできる。また、蓋本体の表面を陽極酸化処理し、さらに、アクリルメラミン塗装等の被膜を形成して、防錆及び耐候性を向上させてもよい。
【００２２】
また、本願発明における固定部材は、ケーブルピットに固定部材を挿入させた際に、容易に塑性変形を起こさず、弾性的に変形できれば、その材質はいずれのものでもよく、一般的な機械構造用炭素鋼等を用いることもできるが、耐食性、耐久性からステンレス鋼が望ましい。また、蓋本体を構成するアルミニウムも、純アルミニウムやＡｌ−Ｓｉ系等の加工用合金等いずれのものも使用できる。
【符号の説明】
【００２３】
１…ピット蓋
２…蓋本体
３…空間部
４…補強リブ
５…突条
６…押さえ板
７…固定部材
８…取付部
９…中間部
１０…係止部
１０ａ…頂部
１１…屈曲部
１２…長孔
１３…ボルト
１４…ナット
Ａ…ケーブルピット
Ａ１…側壁
Ａ２…底壁
【図１】
0005419566.tif 000002
【図２】
0005419566.tif 000003
【図３】
0005419566.tif 000004
【図４】
0005419566.tif 000005
【図５】
0005419566.tif 000006